(57)【特許請求の範囲】
【請求項１】
間欠受信における基地局から制御チャネルを受信するタイミングの直前に、基地局に、無線チャネル状態を示す情報を通知する無線チャネル状態通知部と、
前記基地局により、最初のフレームからリンクアダプテーションが適用されたデータチャネル及び制御チャネルの少なくとも一方を受信する受信部と
を備えることを特徴とする移動局。
【請求項２】
請求項１に記載の移動局において、
前記受信部により受信されるべき制御チャネルに基づいて、予め決定された所定の周期で間欠受信を行う間欠受信制御部
を備えることを特徴とする移動局。
【請求項３】
データチャネルと、制御チャネルとを生成するチャネル生成部と、
間欠受信において、移動局に制御チャネルが受信されるタイミングの直前に通知されるべき無線チャネル状態に応じて、前記データチャネル及び制御チャネルのうちの少なくとも一方にリンクアダプテーションを適用し、該データチャネル及び制御チャネルの少なくとも一方を送信する送信制御部と
を備えることを特徴とする基地局。
【請求項４】
請求項３に記載の基地局において、
前記制御チャネルは、送信すべきデータがあることを示す情報を含むことを特徴とする基地局。
【請求項５】
請求項４に記載の基地局において、
前記制御チャネルは、前記データチャネルの復調および復号方法を示す情報を含むことを特徴とする基地局。
【請求項６】
移動局が、間欠受信における基地局から制御チャネルを受信するタイミングの直前に、基地局に、無線チャネル状態を示す情報を通知する無線チャネル状態通知ステップと、
前記基地局が、データチャネル及び制御チャネルの少なくとも一方を生成するチャネル生成ステップと、
前記基地局が、最初のフレームから、前記データチャネル及び制御チャネルの少なくとも一方に、前記移動局から通知されるべき無線チャネル状態に応じたリンクアダプテーションを適用し、前記データチャネル及び制御チャネルの少なくとも一方を送信する送信制御ステップと
を有することを特徴とする無線チャネル状態通知方法。
【請求項７】
請求項６に記載の無線チャネル状態通知方法において、
前記制御チャネルは、送信データがあることを示す情報を含むことを特徴とする無線チャネル状態通知方法。
【請求項８】
請求項６又は７に記載の無線チャネル状態通知方法において、
前記チャネルは、前記データチャネルの復調および復号方法を示す情報を含むことを特徴とする無線チャネル状態通知方法。
【発明の詳細な説明】
【技術分野】
【０００１】
本発明は、間欠受信を行う移動局を備える無線通信システムにおける移動局および基地局並びに無線チャネル状態通知方法に関する。
【背景技術】
【０００２】
３．５世代の移動通信方式として３ＧＰＰで標準化されたＨＳＤＰＡ（Ｈｉｇｈ  Ｓｐｅｅｄ  Ｄｏｗｎｌｉｎｋ  Ｐａｃｋｅｔ  Ａｃｃｅｓｓ）は、下り回線のパケット交換型の伝送方式である。ＨＳＤＰＡでは、ユーザデータはセル内の複数のユーザで共通に用いられる共通物理チャネルＨＳ−ＰＤＳＣＨ（Ｈｉｇｈ−Ｓｐｅｅｄ  Ｐｈｙｓｉｃａｌ  Ｄｏｗｎｌｉｎｋ  Ｓｈａｒｅｄ  Ｃｈａｎｎｅｌ）にて時分割的に送信される。
【０００３】
また、ＨＳＤＰＡでは、ＨＳ−ＰＤＳＣＨ上のデータの有無は、共通制御チャネルであるＨＳ−ＳＣＣＨ（Ｈｉｇｈ−Ｓｐｅｅｄ  Ｓｈａｒｅｄ  Ｃｏｎｔｒｏｌ  Ｃｈａｎｎｅｌ）によって通知される。
【０００４】
移動局は、ＨＳ−ＳＣＣＨをある決まったタイミングで受信し、ＨＳ−ＳＣＣＨに該移動局宛のデータが存在することを示す信号を受信した場合に、該受信直後のタイミングでＨＳ−ＰＤＳＣＨを受信することによりデータを受信する。
【０００５】
また、各移動局は上り回線の個別物理チャネルであるＨＳ−ＤＰＣＣＨ（Ｈｉｇｈ−Ｓｐｅｅｄ  Ｄｅｄｉｃａｔｅｄ  Ｐｈｙｓｉｃａｌ  Ｃｏｎｔｒｏｌ  Ｃｈａｎｎｅｌ）で無線チャネルの状態を表すＣＱＩ（ｃｈａｎｎｅｌ  ｑｕａｌｉｔｙ  ｉｎｄｉｃａｔｏｒ）を送信する。
【０００６】
基地局は、各移動局のＣＱＩなどを勘案して次のＨＳ−ＰＤＳＣＨフレームで送信すべきユーザを決定するスケジューリングを行い、さらにＣＱＩに基づいてリンクアダプテーション、例えばＭＣＳ（Ｍｏｄｕｌａｔｉｏｎ  Ｃｏｄｉｎｇ  Ｓｃｈｅｍｅ）制御、送信電力制御などを行う。
【０００７】
また、基地局は、ＨＳ−ＰＤＳＣＨの変調・符号化方式（ＭＣＳ）などを表すフレームフォーマットに関する情報もＨＳ−ＳＣＣＨにより送信する。これにより移動局は復調・復号方法を知ることができる。
【０００８】
ＨＳＤＰＡ方式を適用する無線通信システムの動作について、図１を参照して説明する。
【０００９】
ＨＳＤＰＡ方式では、データの有無に関わらず一定周期で移動局からＣＱＩが報告される。基地局は、ＣＱＩに応じたリンクアダプテーションを適用し、送信制御を行う。そして、一定時間データが到来しなかった場合、無線リソースの利用効率低下と移動局におけるバッテリ消耗を防ぐため、基地局および移動局は、無線リソースを開放することができる。
【００１０】
その後、送信バッファに、新たな下りデータが到来した場合、基地局および移動局は再び無線リソースを決められた手順でセットアップし、通信を再開することができる。基地局は、立ち上がりの初回フレームはデフォルトのフォーマットで送信する。この場合、無線リソースのセットアップに要した時間、データの転送が遅延してしまう。
【００１１】
このような問題を解決するために、無線通信システムでは、間欠送信制御（ＤＴＸ：  Ｄｉｓｃｏｎｔｉｎｕｏｕｓ  Ｔｒａｎｓｍｉｓｓｉｏｎ）／間欠受信制御（ＤＲＸ：  Ｄｉｓｃｏｎｔｉｎｕｏｕｓ  Ｒｅｃｅｐｔｉｏｎ）を適用することができる。間欠送信制御／間欠受信制御では、移動局は、データが一定時間到来しなかった場合にＤＴＸ／ＤＲＸを起動し、送受信頻度を減らす制御を行う。このようにすることにより、無線リソースの利用効率を高め、移動局の消費バッテリを低減することができる。
【００１２】
ＤＴＸ／ＤＲＸを適用した無線通信システムについて、図２を参照して説明する。
【００１３】
図２においては、一般化のため、ＨＳ−ＰＤＳＣＨ相当のチャネルをＤＬ  ＤＣＨ、ＨＳ−ＳＣＣＨ相当のチャネルをＤＬ  ＣＣＨ、ＨＳ−ＤＰＣＣＨ相当のチャネルＵＬ  ＣＣＨとして説明する。また、ＴＤＲＸは所定の間欠受信周期（ＤＲＸ周期）を示す。また、ＤＲＸ周期は、２ｋ（ｋは正の整数）で表されることとする。
【００１４】
また、ここでは、ダイナミックなＤＴＸ／ＤＲＸを適用した場合について説明する。ダイナミックなＤＴＸ／ＤＲＸでは、同じＤＲＸ周期で２回連続してデータが到来しなかった場合、ＤＲＸ周期ＴＤＲＸを２倍にする制御が行われる。
【００１５】
例えば、移動局は、連続して２フレームＤＬ  ＤＣＨにデータがない場合、ＤＲＸに移行し、ＣＱＩの送信を停止する。その後、連続して２ＤＲＸ周期ＤＬ  ＤＣＨにデータがない場合、ＤＲＸ周期を２倍（ｋ＝２）にする。
【００１６】
その後、該移動局宛のデータが到来した場合、基地局は、バースト立ち上がりの初回のフレームは、デフォルトのフォーマットで送信し、ＣＱＩが得られる２フレーム目以降は、ＣＱＩに応じたリンクアダプテーションを適用する。
【００１７】
このようにＤＴＸ／ＤＲＸを適用することにより、無線リソースの開放・再セットアップを行わなくても、長い時間回線を張ったままセッションを持続することができ、無線リソースセットアップの煩雑な制御を回避できる。また、バーストの初回フレーム送信までの応答を早くすることができ、無線リソースのセットアップの制御による遅延を効率的に回避できる。
【発明の開示】
【発明が解決しようとする課題】
【００１８】
しかしながら、上述した背景技術には以下の問題がある。
【００１９】
ＤＴＸ／ＤＲＸが行われる場合、データが到来した際の立ち上がりの最初のフレームでは、基地局は、ＣＱＩを把握できないため、適切なリンクアダプテーションを適用できない問題点がある。
【００２０】
基地局において、安全なＭＣＳや送信電力で送信されない場合、移動局は、ＤＬ  ＣＣＨやＤＬ  ＤＣＨの受信誤りを生じやすい問題点がある。
【００２１】
例えば、図３に示すように、基地局は、ＣＱＩが通知されない状況で送信を開始するので、適切なリンクアダプテーションを適用できない。したがって、移動局では、ＤＬ  ＣＣＨやＤＬ  ＤＣＨの受信誤りを生じやすい。移動局において、ＤＬ  ＣＣＨの受信誤りが生じた場合、すなわちＤＬ  ＣＣＨを取りこぼした場合、移動局は、もう１ＤＲＸ周期受信できなくなり、その結果遅延が大きくなる。
【００２２】
また、移動局において、ＤＬ  ＣＣＨの受信誤りが生じた場合には、移動局は間欠受信を継続する。この場合、移動局がＤＲＸから復帰したと送信側（基地局側）で誤認識した場合、基地局は、ＤＬ  ＣＣＨやＤＬ  ＤＣＨを無駄に送信してしまう可能性がある。
【００２３】
また、ＤＲＸ周期を段階的に長くする制御を適用した場合、送信したいデ−夕があるにも関わらずＤＲＸ周期を長くする制御が行われるため、より大きな遅延を生じる問題点がある。
【００２４】
また、適切なリンクアダプテーションを適用できないため、無線の利用効率が劣化する問題点がある。
【００２５】
そこで、本発明は、上述した問題を解決するためになされたものであり、その目的は、間欠受信制御が行われる場合であっても、適切なリンクアダプテーションを適用できる移動局および基地局並びに無線チャネル状態通知方法を提供することにある。
【課題を解決するための手段】
【００２６】
上記課題を解決するため、本移動局は、
間欠受信における基地局から制御チャネルを受信するタイミングの直前に、基地局に、無線チャネル状態を示す情報を通知する無線チャネル状態通知部と、
前記基地局により、最初のフレームからリンクアダプテーションが適用されたデータチャネル及び制御チャネルの少なくとも一方を受信する受信部と
を備える。
【００２７】
このように構成することにより、間欠受信における受信タイミングにしたがって、例えば受信タイミングの直前に無線チャネルの状態を示す情報を基地局に通知することができる。
【００２８】
また、本基地局は、
データチャネルと、制御チャネルとを生成するチャネル生成部と、
間欠受信において、移動局に制御チャネルが受信されるタイミングの直前に通知されるべき無線チャネル状態に応じて、前記データチャネル及び制御チャネルのうちの少なくとも一方にリンクアダプテーションを適用し、該データチャネル及び制御チャネルの少なくとも一方を送信する送信制御部と
を備える。
【００２９】
このように構成することにより、移動局から通知された無線チャネル状態、例えばＣＱＩに応じたリンクアダプテーションを適用し、データチャネルを送信することができる。
【００３０】
また、本無線チャネル状態通知方法は、
移動局が、間欠受信における基地局から制御チャネルを受信するタイミングの直前に、基地局に、無線チャネル状態を示す情報を通知する無線チャネル状態通知ステップと、
前記基地局が、データチャネル及び制御チャネルの少なくとも一方を生成するチャネル生成ステップと、
前記基地局が、最初のフレームから、前記データチャネル及び制御チャネルの少なくとも一方に、前記移動局から通知されるべき無線チャネル状態に応じたリンクアダプテーションを適用し、前記データチャネル及び制御チャネルの少なくとも一方を送信する送信制御ステップと
を有する。
【００３１】
このようにすることにより、移動局は間欠受信における受信タイミングにしたがって、例えば受信タイミングの直前に無線チャネルの状態を示す情報を基地局に通知することができ、基地局は移動局から通知された無線チャネル状態、例えばＣＱＩに応じたリンクアダプテーションを適用し、データチャネルを送信することができる。
【発明の効果】
【００３２】
本発明の実施例によれば、間欠受信制御が行われる場合であっても、適切なリンクアダプテーションを適用できる移動局および基地局並びに無線チャネル状態通知方法を実現できる。
【発明を実施するための最良の形態】
【００３３】
次に、本発明の実施例について図面を参照して説明する。
なお、実施例を説明するための全図において、同一機能を有するものは同一符号を用い、繰り返しの説明は省略する。
【００３４】
本発明の実施例にかかる無線通信システムについて、図４を参照して説明する。
【００３５】
本実施例にかかる無線通信システムは、移動局と基地局とを備える。
【００３６】
ここでは、下り回線でデータを送信する場合を想定し、基地局が下り回線（ＤＬ：  Ｄｏｗｎｌｉｎｋ）により下り制御チャネル（ＤＬ  ＣＣＨ：  Ｄｏｗｎｌｉｎｋ  Ｃｏｎｔｒｏｌ  Ｃｈａｎｎｅｌ）と下りデータチャネル（ＤＬ  ＤＣＨ：  Ｄｏｗｎｌｉｎｋ  Ｄａｔａ  Ｃｈａｎｎｅｌ）を送信し、移動局が上り回線（ＵＬ：Ｕｐｌｉｎｋ）により上り制御チャネル（ＵＬ  ＣＣＨ：  Ｕｐｌｉｎｋ  Ｃｏｎｔｒｏｌ  Ｃｈａｎｎｅｌ）を送信する場合について説明する。
【００３７】
本実施例にかかる無線通信システムでは、移動局はＤＲＸの受信タイミングの直前に無線チャネル状態を対向リンクで送信する。例えば、移動局は、ＤＲＸ中であってもＤＬ  ＣＣＨの受信タイミングの直前にＵＬ  ＣＣＨにより無線チャネル状態、例えばＣＱＩを報告する。
【００３８】
基地局は、移動局から送信された無線チャネル状態、例えばＣＱＩに応じて、バースト立ち上がり初回のフレームから適切なリンクアダプテーションを適用する。
【００３９】
このようにすることにより、基地局は、ＤＬ  ＣＣＨの送信タイミングの直前に、ＣＱＩを得ることができるため、ＤＬ  ＣＣＨおよびＤＬ  ＤＣＨのうち少なくとも一方に適切なリンクアダプテーションを適用することができる。
【００４０】
次に、本発明の実施例にかかる移動局について、図５を参照して説明する。
【００４１】
本実施例にかかる移動局１００は送信装置を備え、送信装置は、アンテナを備える送受共用器１０２と、送受共用器１０２の出力信号が入力される受信ＲＦ部１０４と、受信ＲＦ部１０４の出力信号が入力されるＤＬ  ＣＣＨ受信部１０６、ＤＬ  ＤＣＨ受信部１０８およびＣＱＩ測定部１１２と、ＤＬ  ＣＣＨ受信部１０６の出力信号が入力される間欠受信制御手段としてのＤＲＸ制御部１１０と、ＤＲＸ制御部１１０およびＣＱＩ測定部１１２の出力信号が入力される無線チャネル状態通知手段としてのＵＬ  ＣＣＨ作成部１１４と、ＵＬ  ＣＣＨ作成部１１４の出力信号が入力される送信ＲＦ部１１６とを備える。ＤＬ  ＣＣＨ受信部１０６の出力信号はＤＬ  ＤＣＨ受信部１０８に入力され、ＤＲＸ制御部１１０の出力信号は受信ＲＦ部１０４に入力され、送信ＲＦ部１１６の出力信号は送受共用部１０２に入力される。
【００４２】
基地局２００からの送信データは、送受共用器１０２を介して、受信ＲＦ部１０４に入力される。受信ＲＦ部１０４は、下り受信ＲＦ信号をベースバンド信号へ変換し、ＤＬ  ＣＣＨ受信部１０６、ＤＬ  ＤＣＨ受信部１０８およびＣＱＩ測定部１１２に入力する。
【００４３】
ＤＬ  ＣＣＨ受信部１０６は、ＤＬ  ＣＣＨを受信する。また、ＤＬ  ＣＣＨ受信部１０４は、受信したＤＬ  ＣＣＨに基づいて、ＤＬ  ＤＣＨ上に自移動局宛の受信データがあるか否かを検出する。また、ＤＬ  ＣＣＨ受信部１０６は、ＤＬ  ＣＣＨに基づいて、自移動局宛の受信データがあることを検出した場合、ＤＬ  ＣＣＨからＤＬ  ＤＣＨフレームの復調・復号方法を示す情報を得る。
【００４４】
また、ＤＬ  ＣＣＨ受信部１０６は、ＤＬ  ＤＣＨ受信部１０８およびＤＲＸ制御部１１０に受信内容を通知する。例えば、ＤＬ  ＣＣＨ受信部１０６は、ＤＲＸ制御部１１０に受信データがあるか否かを示す情報を通知し、ＤＬ  ＤＣＨ受信部１０８にＤＬ  ＤＣＨフレームの復調・復号方法を示す情報を入力する。
【００４５】
また、ＤＬ  ＣＣＨ受信部１０６は、基地局２００から間欠受信状態に入ることを示す制御コマンドを、例えばＤＬ  ＣＣＨで送信する場合、該制御コマンドを基地局２００から受信し、ＤＲＸ制御部１１０に入力する。
【００４６】
ＤＬ  ＤＣＨ受信部１０８は、ＤＬ  ＣＣＨ受信部１０６により通知された情報、例えば復調・復号方法を示す情報にしたがってＤＬ  ＤＣＨを受信する。
【００４７】
ＤＲＸ制御部１１０は、ＤＬ  ＣＣＨ受信部１０６により入力された自移動局宛のデータがあることを示す情報に基づいて、ＤＲＸ周期を制御する。例えば、ＤＲＸ制御部１１０は、図１および図２を参照して説明したように、例えば複数のフレーム、例えば２フレーム（以下、ＤＲＸフレームと呼ぶ）連続してＤＬ  ＤＣＨ上にデータがないことを示すシグナリングをＤＬ  ＣＣＨで受けた場合に、ＤＲＸ周期を増加、例えば２倍に増加させる制御を行う。
【００４８】
また、ＤＲＸ制御部１１０は、ＤＬ  ＣＣＨ受信部１０６により入力された間欠受信状態に入ることを示す制御コマンドにしたがって、間欠受信状態に入り、ＤＲＸ周期を制御する。
【００４９】
また、ＤＲＸ制御部１１０は、ＤＲＸ中における受信タイミングにしたがって、無線チャネル状態を報告する制御を行う。例えば、ＤＲＸ制御部１１０は、ＤＲＸ中における受信タイミングの所定の時間前、例えば直前に基地局２００に対して無線チャネル状態を報告する制御を行う。
【００５０】
ＣＱＩ測定部１１２は、無線チャネル状態、例えばＣＱＩを推定する。
【００５１】
ＵＬ  ＣＣＨ作成部１１４は、無線チャネル状態、例えばＣＱＩや他の制御情報に基づいて、ＵＬ  ＣＣＨで送信するフレームを作成する。
【００５２】
また、ＵＬ  ＣＣＨ作成部１１４は、ＤＲＸ制御部１１０による制御に応じて、制御チャネルを作成する。例えば、ＵＬ  ＣＣＨ作成部１１４は、無線チャネル状態を示す情報をＵＬ  ＣＣＨに格納することにより、制御チャネルを作成し、送信する。
【００５３】
送信ＲＦ部１１６は、ＵＬ  ＣＣＨや他の上りチャネルをＲＦ信号に変換してアンテナへ送出する。その結果。ＵＬ  ＣＣＨ、他の上りチャネルが送信される。
【００５４】
次に、本実施例にかかる移動局１００の動作について、図６を参照して説明する。
【００５５】
ＤＲＸ制御部１１０は、間欠受信中であるか否かを判断する（ステップＳ６０２）。
【００５６】
間欠受信中でない場合（ステップＳ６０２：ＮＯ）、ＤＲＸ制御部１１０は、ＵＬ  ＣＣＨ作成部１１４に対して、所定の周期で無線チャネル状態を基地局２００に通知するように制御する。その結果、所定の周期で無線チャネル状態を示す情報が基地局２００に通知される。
【００５７】
一方、間欠受信中である場合（ステップＳ６０２：ＹＥＳ）、ＤＲＸ制御部１１０は、ＤＲＸ周期に基づいて、受信タイミングの所定時間前、例えば直前であるか否かを判断する（ステップＳ６０６）。
【００５８】
受信タイミングの直前でない場合（ステップＳ６０６：ＮＯ）、ステップＳ６０６に戻る。
【００５９】
一方、受信タイミングの直前である場合（ステップＳ６０６：ＹＥＳ）、ＤＲＸ制御部１１０は、ＵＬ  ＣＣＨ作成部１１４に対して、無線チャネル状態を基地局２００に通知するように制御する（ステップＳ６０８）。その結果、ＤＲＸ周期における受信タイミングの直前に無線チャネル状態を示す情報が基地局２００に通知される。
【００６０】
次に、本発明の実施例にかかる基地局２００について、図７を参照して説明する。
【００６１】
本実施例にかかる基地局２００は受信装置を備え、受信装置は、アンテナを備える送受共用器２０２と、送受共用器２０２の出力信号が入力される受信ＲＦ部２０４と、受信ＲＦ部２０４の出力信号が入力されるＵＬ  ＣＣＨ受信部２０６と、送信データが入力される送信バッファ２１０と、ＵＬ  ＣＣＨ受信部２０６および送信バッファ２１０からの出力信号が入力されるデータチャネル生成手段および送信制御手段としてのＤＬ  ＤＣＨ作成部２０８と、ＤＬ  ＤＣＨ作成部２０８の出力信号が入力される制御チャネル生成手段および送信制御手段としてのＤＬ  ＣＣＨ作成部２１２と、ＤＬ  ＣＣＨ作成部２１２の出力信号が入力されるＤＴＸ制御部２１４と、ＤＬ  ＤＣＨ作成部２０８およびＤＬ  ＣＣＨ作成部２１２の出力信号が入力される送信ＲＦ部２１６とを備える。ＤＴＸ制御部２１４の出力信号は受信ＲＦ部２０４および送信ＲＦ部２１６に入力され、送信ＲＦ部２１６の出力信号は送受共用器２０２に入力される。
【００６２】
移動局１００からの送信データは、送受共用器２０２を介して、受信ＲＦ部２０４に入力される。受信ＲＦ部２０４は、上り受信ＲＦ信号をベースバンド信号へ変換し、ＵＬ  ＣＣＨ受信部２０６に入力する。
【００６３】
ＵＬ  ＣＣＨ受信部２０６はＵＬ  ＣＣＨを受信し、ＵＬ  ＣＣＨから無線チャネル状態を示す情報、例えばＣＱＩの情報を抽出し、ＤＬ  ＤＣＨ作成部２０８に入力する。
【００６４】
ＤＬ  ＤＣＨ作成部２０８は、ＵＬ  ＣＣＨ受信部２０６により入力された無線チャネル情報、例えばＣＱＩと送信バッファ２１０に一時的に保存されたデータ量に基づいて、ＤＬ  ＤＣＨのフレームを作成し、適切なリンクアダプテーションを適用する。また、ＤＬ  ＤＣＨ作成部２０８は、ＣＱＩおよびＤＬ  ＤＣＨのフレームを作成したことを示す情報をＤＬ  ＣＣＨ作成部２１２に通知する。
【００６５】
ＤＬ  ＣＣＨ作成部２１２は、ＤＬ  ＤＣＨ作成部２０８において、送信すべきフレームが作成された場合に、送信データがあることを移動局１００に通知するための情報および復調・復号に必要なフレームフォーマットを示す情報をＤＬ  ＣＣＨに格納し、ＣＱＩに基づいて適切なリンクアダプテーションを適用する。
【００６６】
また、ＤＬ  ＣＣＨ作成部２１２は、所定の期間、移動局に対する送信データがない場合に、該移動局に対して、間欠受信状態に入る制御コマンドを作成し、この制御コマンドをＤＬ  ＣＣＨなどの下り制御チャネルにより送信してもよい。
【００６７】
ＤＴＸ制御部２１４は、ＤＬ  ＤＣＨの送信／非送信を示す情報をＤＬ  ＣＣＨ作成部２１２から受け取り、それに応じてＤＴＸ周期を制御する。
【００６８】
送信バッファ２１０は、ネットワークから到来した下りデータを、送信が完了するまでバッファリングする。また、送信バッファ２１０は、Ｅｘｐｉｒｅしたデータをｄｉｓｃａｒｄする。すなわち、送信バッファ２１０は、所定の期間経過したデータを廃棄する。
【００６９】
送信ＲＦ部２１６は、ＤＬ  ＣＣＨ、ＤＬ  ＤＣＨ、他の下りチャネルをＲＦ信号に変換し、アンテナに送出する。その結果、ＤＬ  ＣＣＨ、ＤＬ  ＤＣＨ、他の下りチャネルが送信される。
【００７０】
次に、本実施例にかかる基地局２００の動作について、図８を参照して説明する。
【００７１】
ＵＬ  ＣＣＨ受信部２０６は、移動局から送信された無線チャネル状態を示す情報を受信する（ステップＳ８０２）。
【００７２】
次に、ＤＬ  ＤＣＨ作成部２０８は、送信バッファ２１０に一時的に保存された送信データを参照し、送信データがあるか否かを判断する（ステップＳ８０４）。
【００７３】
送信データがある場合（ステップＳ８０４：ＹＥＳ）、ＤＬ  ＤＣＨ作成部２０８は、無線チャネルを示す情報に基づいて、ＤＬ  ＤＣＨを作成し、適切なリンクアダプテーションを適用する。また、ＤＬ  ＣＣＨ作成部２１２は、送信データがあることを示す情報、該情報の復調・復号に必要なフレームフォーマットを示す情報をＤＬ  ＣＣＨに格納する（ステップＳ８０６）。
【００７４】
次に、ＤＬ  ＣＣＨ作成部２１２は、無線チャネルを示す情報に基づいて、適切なリンクアダプテーションを適用し、ＤＬ  ＣＣＨを送信する。また、ＤＬ  ＤＣＨ作成部２０８は、無線チャネルを示す情報に基づいて、適切なリンクアダプテーションを適用し、ＤＬ  ＤＣＨを送信する（ステップＳ８０８）。
【００７５】
その後、ステップＳ８０２に戻る。
【００７６】
一方、送信データがない場合（ステップＳ８０４：ＮＯ）、ステップＳ８０２に戻る。
【００７７】
上述した実施例においては、ＨＳＤＰＡのような共通チャネルを用いる場合について説明したが、ＷＣＤＭＡのように個別チャネルを用いる通信形態でＤＴＸ／ＤＲＸを行う場合にも適用できる。
【００７８】
また、ＤＬ  ＣＣＨとＤＬ  ＤＣＨのように制御チャネルとデータチャネルとが分離されず、併合される形態にも適用することができる。
【００７９】
また、上述した実施例においては、下り回線について説明したが、上り回線にも適用できる。この場合、移動局は上述した受信装置を備え、基地局は上述した送信装置を備える。
【産業上の利用可能性】
【００８０】
本発明にかかる移動局および基地局並びに無線チャネル状態通知方法は、無線通信システムに適用できる。
【図面の簡単な説明】
【００８１】
【図１】ＨＳＤＰＡ方式における送信方法を示す説明図である。
【図２】間欠受信制御を示す説明図である。
【図３】間欠受信制御を示す説明図である。
【図４】本発明の一実施例にかかる間欠受信制御方法を示す説明図である。
【図５】本発明の一実施例にかかる移動局を示すブロック図である。
【図６】本発明の一実施例にかかる移動局の動作を示すフロー図である。
【図７】本発明の一実施例にかかる基地局を示すブロック図である。
【図８】本発明の一実施例にかかる基地局の動作を示すフロー図である。
【符号の説明】
【００８２】
１００  移動局
２００  基地局
【図１】
0004790445.tif 000002
【図２】
0004790445.tif 000003
【図３】
0004790445.tif 000004
【図４】
0004790445.tif 000005
【図５】
0004790445.tif 000006
【図６】
0004790445.tif 000007
【図７】
0004790445.tif 000008
【図８】
0004790445.tif 000009